(57)【要約】【課題】  本発明は多数個並列された目地プレート上を車が走行しても、騒音の発生を効率よく阻止することができ、消耗品を用いることなく、定期的な補修が不要で、維持費用がかからず、経済的に使用することができる床用目地装置を得るにある。【解決手段】  左右の床躯体の目地部側部位に目地部に開口するように形成された左右の目地プレート支持凹部と、この左右の目地プレート支持凹部に並列状態で両端部が支持される浅皿状の目地プレート本体を用いた複数個の目地プレートとを備える床用目地装置において、並列される複数個の目地プレートの隣り合う目地プレートに加わった荷重が伝わる荷重伝達手段を設けて床用目地装置を構成している。【選択図】  図１
2008127925.tif 000002
【特許請求の範囲】
【請求項１】
目地部を介して設けられた左右の床躯体の目地部側部位に目地部に開口するように形成された左右の目地プレート支持凹部と、この左右の目地プレート支持凹部に並列状態で両端部が支持される浅皿状の目地プレート本体を用いた複数個の目地プレートとを備える床用目地装置において、前記並列される複数個の目地プレートの隣り合う目地プレートに加わった荷重が伝わる荷重伝達手段を設けたことを特徴とする床用目地装置。  
【請求項２】
荷重伝達手段は隣り合う一方の目地プレートの目地プレート本体の両側面より外方へ突出するように形成された支持プレートと、隣り合う他方の目地プレートの側面が、前記支持プレートに密着状態で支持される支持部とで構成されていることを特徴とする請求項1記載の床用目地装置。
【請求項３】
荷重伝達手段は目地プレートの目地プレート本体の一側面より外方へ突出するように形成された支持プレートおよび他側面側の底面に形成された支持プレートに密着状態で支持される支持凹部とで構成されていることを特徴とする請求項１記載の床用目地装置。 
【発明の詳細な説明】
【技術分野】
【０００１】
本発明は目地部を介して設けられた左右の床躯体間を、車の走行が可能に覆う床用目地装置に関する。
【背景技術】
【０００２】
従来、この種の床用目地装置は目地部側の左右の床躯体に左右の目地プレート支持凹部を形成し、該左右の目地プレート支持凹部に両端部が支持されて目地部を覆う金属材製の浅皿形状の目地プレート本体内にモルタルを充填して、タイルを固定した目地プレートを隙間なく多数個並列配置して構成していた。
【０００３】
このため、多数個の目地プレートはそれぞれ独立状態で、左右の床躯体の左右の目地プレート支持凹部に両端部が支持されているため、０．５ｍm程のわずかな段差があると、目地プレート上を走行する車によって、ガタガタという騒音が発生するという欠点があった。
この欠点を解消するためにゴムシートを敷設したり、目地プレートと目地プレート支持凹部との間にパッキングを介装させたりすることも考えられているが、コスト高になるとともに、一定期間毎にゴムシートやパッキング等の消耗品の取替えのための補修作業が必要となり、維持費用がかかるという欠点があった。
【特許文献１】特開２００２−２１２０１
【発明の開示】
【発明が解決しようとする課題】
【０００４】
本発明は以上のような従来の欠点に鑑み、多数個並列された目地プレート上を車が走行しても、騒音の発生を効率よく阻止することができ、消耗品を用いることなく、定期的な補修が不要で、維持費用がかからず、経済的に使用することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の床躯体の目地部側部位に目地部に開口するように形成された左右の目地プレート支持凹部と、この左右の目地プレート支持凹部に並列状態で両端部が支持される浅皿状の目地プレート本体を用いた複数個の目地プレートとを備える床用目地装置において、前記並列される複数個の目地プレートの隣り合う目地プレートに加わった荷重が伝わる荷重伝達手段を設けて床用目地装置を構成している。
【発明の効果】
【０００７】
以上の説明から明らかなように、本発明にあっては次に列挙する効果が得られる。
【０００８】
（１）並列される複数個の目地プレートの隣り合う目地プレートに加わった荷重が伝わる荷重伝達手段を設けたので、目地プレートに車の荷重が加わると、隣りの目地プレートにも荷重伝達手段によって荷重を加えることができる。
したがって、目地プレート上を車が走行しても、隣りの目地プレートを押し圧した状態となり、ガタガタという騒音を効率よく阻止することができる。
【０００９】
（２）前記（１）によって、荷重伝達手段を設けるだけでよいので、容易に実施することができる。
【００１０】
（３）請求項２も前記（１）、（２）と同様な効果が得られるとともに、支持プレートと支持部の荷重伝達手段であるので、定期的な補修が不要で、消耗品も使用しないので、経済的に使用することができる。
【００１１】
（４）請求項３も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図７に示す本発明を実施するための最良の第１の形態において、１は目地部２を介して設けられた左右の床躯体３、３間を車の走行が可能に覆う本発明の床用目地装置で、この床用目地装置１は前記左右の床躯体３、３の目地部側部位に目地部２に開口するように形成された反目地部側が傾斜面４、４に形成された左右の目地プレート支持凹部５、５と、この左右の目地プレート支持凹部５、５の上面を覆う金属材製の左右の下地レール６、６と、この左右の下地レール６、６に両端部が支持され、荷重伝達手段７を介して並列された複数個の目地プレート８と、この複数個の目地プレート８の所定部位の、例えば１個おきの目地プレート８の中央部を前記目地部２の中央部に常時位置させる複数個の中央維持機構９とで構成されている。
【００１４】
前記目地プレート８は図４に示すように、金属材製の浅皿状の目地プレート本体１０と、この目地プレート本体１０内に充填されたモルタルやコンクリート１１と、このモルタルやコンクリート１１の上面を覆うように設けられたタイル１２と、前記目地プレート本体１０の両端の上部寄りの部位に取付けられたヒンジ部材１３、１３を介して、先端部が上下方向に回動できるカバープレート１４、１４とで構成されている。
【００１５】
前記荷重伝達手段７は図５に示すように、隣り合う目地プレート８、８の両端寄りの両端部の下部位置に固定された一対のパイプ材製の軸受１５、１５と、この一対の軸受１５、１５に挿入固定される軸１６と、この軸１６の一対の軸受１５、１５からの抜け脱を防止する、該一対の軸受１５、１５に螺合されて該軸１６を固定するロック用ボルト１７、１７とで構成されている。  
【００１６】
前記中央維持機構９は図２および図３に示すように、四角枠形状が２個のパンタグラフ形状のリンク機構１８と、このリンク機構１８の両端部の枢支部１９、１９に枢支ピン２０、２０で枢支された左右の目地部側床躯体３、３に固定される左右の枢支金具２１、２１と、前記リンク機構１８の中央部の枢支部２２に上下移動可能に枢支された目地プレート８の中央部の底面に固定された作動杆２３とで構成されている。
【００１７】
上記構成の床用目地装置１は地震等で目地部２が広くなったり、狭くなったりした場合には、中央維持機構９によって目地部２の中央部に目地プレート８の中央部が位置されるため、目地プレート８の両端部が左右の下地レール６、６上を図６および図７に示すようにスライド移動して、その揺れ動きを吸収する。
また、目地プレート８上を車が走行した場合には、車の荷重が加わる目地プレート８の隣りの目地プレート８にも荷重伝達手段７を介して伝わるため、車の走行により生ずるガタガタという騒音を防止することができる。
[発明を実施するための異なる形態]
【００１８】
次に、図８ないし図２６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１１に示す本発明を実施するための第２の形態において、前記本発明を実施するための最良の第１の形態と主に異なる点は、目地プレート８Ａの目地プレート本体１０Ａの一側底面より外方へ突出する支持プレート２４を形成するとともに、他側面の底面に隣り合う目地プレート８Ａの支持プレート２４上に密着状態で支持される凹部状の支持部２５とからなる荷重伝達手段７Ａを用いた点で、このような荷重伝達手段７Ａを用いた目地プレート８Ａを用いて構成した床用目地装置１Ａにしても、前記本発明を実施するための最良の第１の形態と同様な作用効果が得られる。
なお、本発明を実施する形態では、必要に応じて支持プレート２４と支持部２５が密着状態で支持されている状態を固定状態にするため、中央部位の支持プレート２４と支持部２５とをビス２６を用いて固定してもよい。
【００２０】
図１２ないし図１５に示す本発明を実施するための第３の形態において、前記本発明を実施するための第２の形態と主に異なる点は、目地プレート本体１０Ｂの両側底面より外方へ突出する一対の支持プレート２４、２４を形成した目地プレート８Ｂと、この目地プレート８Ｂの隣りに配置される一対の支持プレート２４、２４の厚さ寸法分だけ薄く形成された目地プレート８Ｃとを用いて支持プレート２４と、この支持プレート２４に支持される目地プレートの側面とで荷重伝達手段７Ｂにした点で、このように構成された床用目地装置１Ｂにしても、前記本発明を実施するための第２の形態と同様な作用効果が得られる。
【００２１】
図１６ないし図１９に示す本発明を実施するための第４の形態において、前記本発明を実施するための最良の第１の形態と主に異なる点は、目地プレート本体１０の一側面下部に先端部が外方へ突出するコ字状の支持プレート２７を溶着固定した目地プレート８Ｄを用いて、該目地プレート８Ｄの支持プレート２７と隣り合う目地プレート８Ｄの他側面との係合による荷重伝達手段７Ｃを用いた点で、このように構成した床用目地装置１Ｃにしても、前記本発明を実施するための最良の第１の形態と同様な作用効果が得られる。
【００２２】
図２０ないし図２３に示す本発明を実施するための第５の形態において、前記本発明を実施するための第２の形態と主に異なる点は、一方の目地プレート支持凹部５Ａに目地プレート８Ｅの後端部の両側部寄りの部位に皿ビス状のピン２８、２８を固定し、このピン２８、２８と係合する係合部材２９、２９を目地プレート８Ｅの後端に設けた点で、このように構成された床用目地装置１Ｄにしても、前記本発明を実施するための第２の形態と同様な作用効果が得られる。
【００２３】
図２４ないし図２６に示す本発明を実施するための第６の形態において、前記本発明を実施するための第２の形態と主に異なる点は、左右端部を傾斜面３０、３０に形成した目地プレート本体１０Ｃを使用した目地プレート８Ｆを用いた点で、このように構成した床用目地装置１Ｅにしても、前記本発明を実施するための第２の形態と同様な作用効果が得られる。  
【産業上の利用可能性】
【００２４】
本発明は床用目地装置を製造する産業で利用される。
【図面の簡単な説明】
【００２５】
【図１】本発明を実施するための最良の第１の形態の平面図。
【図２】図１の２−２線に沿う拡大断面図。
【図３】本発明を実施するための最良の第１の形態の目地プレートを外した状態の平面図。
【図４】本発明を実施するための最良の第１の形態の目地プレートの説明図。
【図５】本発明を実施するための最良の第１の形態の荷重伝達手段の説明図。
【図６】本発明を実施するための最良の第１の形態の目地部が広くなった動作説明図。
【図７】本発明を実施するための最良の第１の形態の目地部が狭くなった動作説明図。
【図８】本発明を実施するための第２の形態の平面図。
【図９】図８の９−９線に沿う拡大断面図。
【図１０】図８の１０−１０線に沿う断面図。
【図１１】本発明を実施するための第２の形態の目地プレートの説明図。
【図１２】本発明を実施するための第３の形態の平面図。
【図１３】図１２の１３−１３線に沿う拡大断面図。
【図１４】図１２の１４−１４線に沿う断面図。
【図１５】本発明を実施するための第３の形態の目地プレートの説明図。
【図１６】本発明を実施するための第４の形態の平面図。
【図１７】図１６の１７−１７線に沿う拡大断面図。
【図１８】図１６の１８−１８線に沿う断面図。
【図１９】本発明を実施するための第４の形態の目地プレートの説明図。
【図２０】本発明を実施するための第５の形態の平面図。
【図２１】図２０の２１−２１線に沿う拡大断面図。
【図２２】図２０の２２−２２線に沿う断面図。
【図２３】本発明を実施するための第５の形態の目地プレートの説明図。
【図２４】本発明を実施するための第６の形態の平面図。
【図２５】図２４の２５−２５線に沿う拡大断面図。
【図２６】図２４の２６−２６線に沿う断面図。
【符号の説明】
【００２６】
１、１Ａ、１Ｂ、１Ｃ、１Ｄ、１Ｅ：床用目地装置、
２：目地部、                                                ３：床躯体、
４：傾斜面、                                                ５：目地プレート支持凹部、        
６：下地レール、                            
７、７Ａ、７Ｂ、７Ｃ：荷重伝達手段、
８、８Ａ、８Ｂ、８Ｃ、８Ｄ、８Ｅ、８Ｆ：目地プレート、
９：中央維持機構、
１０、１０Ａ、１０Ｂ、１０Ｃ：目地プレート本体、
１１：モルタルやコンクリート、            １２：タイル、
１３：ヒンジ部材、                                    １４：カバープレート、
１５：軸受、                                                １６：軸、
１７：ロックボルト、                    １８：リンク機構、
１９：枢支部、                                ２０：枢支ピン、
２１：枢支金具、                            ２２：中央部の枢支部、
２３：作動杆、                                ２４：支持プレート、
２５：支持部、                                ２６：ビス、
２７：支持プレート、                    ２８：ピン、
２９：係合部材、                            ３０：傾斜面。
【図１】
2008127925.tif 000003
【図２】
2008127925.tif 000004
【図３】
2008127925.tif 000005
【図４】
2008127925.tif 000006
【図５】
2008127925.tif 000007
【図６】
2008127925.tif 000008
【図７】
2008127925.tif 000009
【図８】
2008127925.tif 000010
【図９】
2008127925.tif 000011
【図１０】
2008127925.tif 000012
【図１１】
2008127925.tif 000013
【図１２】
2008127925.tif 000014
【図１３】
2008127925.tif 000015
【図１４】
2008127925.tif 000016
【図１５】
2008127925.tif 000017
【図１６】
2008127925.tif 000018
【図１７】
2008127925.tif 000019
【図１８】
2008127925.tif 000020
【図１９】
2008127925.tif 000021
【図２０】
2008127925.tif 000022
【図２１】
2008127925.tif 000023
【図２２】
2008127925.tif 000024
【図２３】
2008127925.tif 000025
【図２４】
2008127925.tif 000026
【図２５】
2008127925.tif 000027
【図２６】
2008127925.tif 000028